(57)【要約】【課題】耐熱ガラス板の強度を高かめて割れにくくするとともに、まんがいち、耐熱ガラス板が割れても飛散しないようにして火傷や火災の危険性を解消し、かつ掃除がしやすくて扱い易い輻射暖房機を提供する。【解決手段】耐熱ガラス板１ａに発熱体１ｂを取り付けた面状ヒーター１と、その下部に面状ヒーター１を載置する架台３と、架台上の面状ヒーターの側面を保持する側板４と、面状ヒーター上面を保持し運転操作部７を有した天板２と、面状ヒーター１の背面を覆い、架台、側板、天板と接続した裏板５と、面状ヒーターを制御する制御手段とを備え、面状ヒーター１は飛散防止手段１ｃを有した構成としてある。【選択図】図１
2005345035.tif 000002
【特許請求の範囲】
【請求項１】
輻射熱を放射する耐熱ガラス板に発熱体を取り付けた面状ヒーターと、前記面状ヒーターを制御する制御手段とを備え、前記面状ヒーターは飛散防止手段を有した輻射暖房機。
【請求項２】
輻射熱を放射する耐熱ガラス板に発熱体を取り付けた面状ヒーターと、前記面状ヒーターを載置する架台と、架台上の前記面状ヒーターの側面を保持する側板と、前記面状ヒーターの上面を保持し、運転操作部を有した天板と、前記面状ヒーターの背面を覆い、前記架台、側板、天板と接続した裏板と、前記面状ヒーターを制御する制御手段とを備え、前記面状ヒーターは飛散防止手段を有した輻射暖房機。
【請求項３】
面状ヒーターは、耐熱ガラス板として結晶化ガラスを使用し、前記結晶化ガラスの面に発熱体を印刷してなる請求項１または請求項２に記載の輻射暖房機。
【請求項４】
面状ヒーターは、発熱体として細幅板状の金属ヒーターを使用し、前記金属ヒーターを耐熱ガラス板の内部に設けて飛散防止手段としてなる請求項１項または請求項２に記載の輻射暖房機。
【請求項５】
金属ヒーターは、耐熱ガラス板の長辺に平行に配列させてなる請求項４に記載の輻射暖房機。
【請求項６】
飛散防止手段は、耐熱ガラス板の表面に透光性材料からなる熱硬化性樹脂シートを接着してなる請求項１から請求項３のいずれかに記載の輻射暖房機。
【発明の詳細な説明】
【技術分野】
【０００１】
本発明は面状ヒーターを利用した輻射暖房機に関するものである。
【背景技術】
【０００２】
従来この種の輻射暖房機は、セラミック板の背部に電熱膜を設けて前記セラミック板を加熱して遠赤外線を放射する電気ヒーターを搭載している（特許文献１参照）。また、調理物を載せる天板を耐熱ガラス製の大型平面とし、天板下面に電気ヒーターを天板より小型の耐熱性下板で挟着した加熱調理機もある（特許文献２参照）。
【０００３】
図９は、特許文献１（前者）に記載された従来の輻射暖房機を分解して示すものである。図９に示すように、本体１５と、セラミック板に導電電熱膜が塗布された電熱板１６と、本体１５の片側に配設したスイッチ１７と、本体１５の正面に取り付けられた網１８から構成されている。
【０００４】
図１０は、特許文献２（後者）に記載された従来の加熱調理機を示すものである。図１０に示すように、大型平面の耐熱ガラス製の天板１９と、天板１９より小型平面の耐熱性を有する下板２０と、天板１９と下板２０とで挟着された電気ヒーター２１と、天板１９の下面外周部に設けた操作部２２とから構成されている。
【０００５】
しかしながら、前者の従来の構成では、発熱体をなすセラミック板の表面は、高温になるため室内のホコリが付着して焼付き汚れやすい。そして、発熱体は割れやすく、人が強く当たった時に割れる危険性があり、その前面に網１８などの保護具が取り付けられているので、前記発熱体の掃除が困難であった。また発熱体は、付着したほこりが堆積すると、発煙、発火の危険性も考えられる。また加熱調理機は、その用途からガラス面の保護はなく、誤って重い物を落とした時に衝撃で加熱されたガラスが破損して飛散し、火傷や、火災の危険性が考えられるという課題を有していた。
【特許文献１】実用新案登録第３０７８４８８号公報
【特許文献２】実開平５−９０２０７号公報
【発明の開示】
【発明が解決しようとする課題】
【０００６】
前記従来の課題に鑑み、本発明が解決しようとする課題は、耐熱ガラス板の強度を高かめて割れにくくするとともに、まんがいち、耐熱ガラスが割れても飛散しないようにして火傷や火災の危険性を解消し、かつ掃除がしやすくて扱い易い輻射暖房機を提供することにある。
【課題を解決するための手段】
【０００７】
前記従来の課題を解決するために本発明の輻射暖房機は、輻射熱を放射する耐熱ガラス板に発熱体を取り付けた面状ヒーターに、飛散防止手段を備えたものである。これによって耐熱ガラス板の強度を高めることができるとともに、まんがいち、割れたときの安全性を確保することで耐熱ガラス板を輻射面として、暖房機本体の前面に配置して掃除を容易にでき、かつ強度の向上で面状ヒーターの表面積を大きくすることも可能となり、表面温度を下げて輻射量を確保し安全性の高いシンプルな構成にもできる。
【発明の効果】
【０００８】
本発明の輻射暖房機は、耐熱ガラス板の強度を高めることができるとともに、まんがいち、割れたときの安全性を確保することで耐熱ガラス板を輻射面として、暖房機本体の前面に配置して掃除を容易にすることができる。
【発明を実施するための最良の形態】
【０００９】
第１の発明は、輻射熱を放射する耐熱ガラス板に発熱体を取り付けた面状ヒーターと、前記面状ヒーターを制御する制御手段とを備え、前記面状ヒーターは飛散防止手段を有した輻射暖房機とすることにより、誤って耐熱ガラス板を割っても飛散がなく安全にでき、そして前記したように安全のため面状ヒーターを暖房機本体の前面に配置し、耐熱ガラス板の保護具をなくして掃除を容易にすることができ、さらに面状ヒーターの耐熱ガラス板の表面積を大きくすることも可能となり、耐熱ガラス板の表面温度を下げても輻射量を確保することができ、安全性の高い輻射暖房機にできる。
【００１０】
第２の発明は、輻射熱を放射する耐熱ガラス板に発熱体を取り付けた面状ヒーターと、前記面状ヒーターを載置する架台と、前記架台上の前記面状ヒーターの側面を保持する側板と、前記面状ヒーターの上面を保持し、運転操作部を有した天板と、前記面状ヒーターの背面を覆い、前記架台、側板、天板と接続した裏板と、前記面状ヒーターを制御する制御手段とを備え、前記面状ヒーターは飛散防止手段を有した輻射暖房機とすることにより、誤って耐熱ガラス板を割ってもガラスの飛散がなく安全にでき、そして前記のように安全なため、面状ヒーターを暖房機本体の前面に配置し、耐熱ガラス板の保護具をなくして、掃除を容易にすることができ、ホコリ付着による発煙、発火を防止した安全な輻射暖房機を提供することができる。さらに面状ヒーターの耐熱ガラス板の表面積を大きくすることも可能となり、耐熱ガラス板の表面温度を下げても輻射量を確保することができ、安全性の高い輻射暖房機を提供することができる。
【００１１】
第３の発明は、特に、第１の発明または第２の発明の輻射暖房機の面状ヒーターを、耐熱ガラス板として結晶化ガラスを使用し、その表面に発熱体を印刷して形成した輻射暖房機とすることにより、耐熱ガラス板の強度が向上し耐熱ガラス板の厚みを薄くでき、まんがいち、割れたときに細かく破損し端面に鋭利な突起部ができないので怪我の心配がなく、発熱体を印刷することで、面状ヒーターを薄く構成できるとともに、複雑なヒーターのパターンを作ることができる。
【００１２】
第４の発明は、特に、第１の発明または第２の発明の面状ヒーターの発熱体として細幅板状の金属ヒーターを使用し、前記金属ヒーターを耐熱ガラス板の内部に設けて飛散防止手段とした輻射暖房機とすることにより、耐熱ガラス板の強度を高め、さらに割れにくくすることができ安全性を高めることができ、また、それがために耐熱ガラス板の表面積も大きくでき、表面温度を下げても輻射量を確保でき、怪我の恐れのない安全な輻射暖房機を提供することができる。
【００１３】
第５の発明は、特に、第４の発明の金属ヒーターを、耐熱ガラス板の長辺に平行に配列させた輻射暖房機とすることにより、例えば、耐熱ガラス板が矩形であって、その中央付近に外力が加わった時、断面応力の小さい短辺方向に破断することが一般的に考えられるが、本発明では矩形の耐熱ガラス板の長辺方向に平行に配列した金属ヒーターが強度体となり、短辺方向の断面応力を高め破断しにくくできる。従って、輸送時の落下衝撃により、自重で破断する課題を解決することができる。
【００１４】
第６の発明は、特に、第１の発明または第２の発明の飛散防止手段を、面状ヒーターの耐熱ガラス板の表面に透光性材料からなる熱硬化性樹脂シートを接着して形成した輻射暖房機とすることで、まんがいち、耐熱ガラス板が割れたとき、熱硬化性樹脂にガラスが接着されているので飛散することがなく安全である。また透光性材料とすることで、面状ヒーターの赤外線が透過し輻射量も確保できる。
【００１５】
本発明の目的は、第１の発明から第６の発明の要部を実施の形態とすることにより達成できるので、各請求項に対応する実施の形態の詳細を、以下に図面を参照しながら説明して発明を実施するための最良の形態の説明とする。なお、この実施の形態によって本発明が限定されるものではない。また、本発明の実施の形態の説明において、同一構成並びに作用効果を奏するところには同一符号を付して重複した説明を行なわないものとする。
【００１６】
（実施の形態１）
図１は、本発明の実施の形態１における輻射暖房機の外観図で、図２は縦断面図で、図３は電気回路図で、図４（ａ）は面状ヒーターの裏面図で（ｂ）は側断面図を示すものである。図１、図２、図３、図４（ａ）（ｂ）において、１は耐熱ガラス板１ａに発熱体１ｂを取り付けた面状ヒーターで、耐熱ガラス板１ａの表面に、まんがいち、耐熱ガラス板１ａが衝撃を受けて破損したとき飛び散らないように飛散防止手段としての耐熱合成樹脂シート１ｃが接着され、耐熱ガラス板１ａの裏面に発熱体１ｂが印刷されている。
【００１７】
そして、輻射暖房機は面状ヒーター１と、その下部に設けた面状ヒーター１を載置する架台３と、面状ヒーター１の側面を保持する側板４と、面状ヒーター１の上面を保持し、運転操作部７を有した天板２と、面状ヒーター１の背面を覆い、架台３、側板４、天板２と接続し、内部の温度上昇で自然対流が流通路５ｃに生じるようにするための下部通気穴５ａと上部通気穴５ｂを備えた裏板５からなり、運転操作部７は電源スイッチ７ａと可変抵抗つまみ７ｂとからなり、加熱防止スイッチ８と、面状ヒーター１の発熱体１ｂと、電源プラグ９と接続して通電回路をなしている。
【００１８】
以上のように構成された輻射暖房機について、以下その動作、作用を説明する。まず、電源プラグ９をコンセント（図示せず）に差込み電源スイッチ７ａを入れると面状ヒーター１の発熱体１ｂに通電されて発熱し、この発熱した発熱体１ｂに暖房機本体の前面の耐熱ガラス板１ａが加熱されて耐熱ガラス板１ａの全面から輻射熱が放射され、その前方の人（図示せず）を暖房する。
【００１９】
発熱体１ｂは、可変抵抗つまみ７ｂにより流れる電流の値が制御され、発熱体１ｂの発熱量を制御でき、耐熱ガラス板１ａの加熱量を調整できる。面状ヒーター１の上部には、天板２が異常加熱したときに発熱体１ｂへの通電回路を遮断する加熱防止スイッチ８が取り付けられている。裏板５は、下部通気穴５ａと上部通気穴５ｂを開口しており、面状ヒーター１が加熱されたときの輻射熱で裏板が加熱されるのを、暖房機本体内の流通路５ｃで生じるドラフト作用で図示矢印のように下部通気穴５ａから外気を吸い込み、上部通気穴５ｂから放出することで、暖房機本体内に空気流を生じさせ裏板５を冷却する。
【００２０】
以上のように本実施の形態においては、面状ヒーターを耐熱ガラス板の表面に飛散防止手段としての耐熱合成樹脂シートを接着し、耐熱ガラス板の裏面に発熱体を印刷して構成することにより、面状ヒーターを誤って割っても、耐熱合成樹脂シートで耐熱ガラス板の飛散を防止できるので、面状ヒーターを暖房機本体の前面に、直に配置して輻射熱発生手段として使用することができる。
【００２１】
そして、耐熱ガラス板の衝撃による破損で飛散の危険性がないので、耐熱ガラス板の前に保護ガードを取り付ける必要もなく、従って面状ヒーターを直接拭くことができ、ほこりの付着による発煙、発火の危険がなく、いつまでもきれいな状態で使用することができる。
【００２２】
なお、本実施の形態では耐熱ガラス板の表面に耐熱合成樹脂シートを接着しているが、網入りガラスやシート入りガラスを使ってもガラスの飛散防止とすることができ、暖房機本体前面の輻射熱発生手段として使用することができる。
【００２３】
（実施の形態２）
図５（ａ）は、本発明の実施の形態２における輻射暖房機の面状ヒーターの裏面図で（ｂ）は側断面図である。１０はガラスに結晶化処理を施した結晶化ガラスを使用した耐熱ガラス板で、その表面には耐熱合成樹脂シート１ｃと、裏面には発熱体１ｂが左右に蛇行した形状に印刷されている。
【００２４】
以上のように構成された面状ヒーター１を採用した輻射暖房機にすることにより、輻射面を大きくすることができ、表面温度の低い安全な輻射暖房機を提供できる。耐熱ガラス板に結晶化ガラス（安全性と強度が求められる自動車のフロントガラスなどにも採用されている）を採用することで、ガラス強度が高くなり、外部からの衝撃に対して、普通ガラスに比べ大きくすることができる。
【００２５】
また、耐熱ガラス板が結晶化されているので、割れたときの破片も小さく、鋭利な端面もできないので安全である。このように安全で強度の高い結晶化ガラスを採用することで、本輻射暖房機の前面の輻射熱発生手段を大型化することができるので、同じ輻射量を確保するのに、輻射面の温度を下げることができ、従って輻射面に触れても火傷のしない輻射暖房機を提供できる。
【００２６】
（実施の形態３）
図６は、本発明の実施の形態３における輻射暖房機の面状ヒーターの要部の分解斜視図である。この面状ヒーター１は、暖房機本体の前面表側より配置した表面耐熱ガラス板１ｄと、発熱体としてニッケル・クローム鋼板を任意の形状として左右に蛇行させた形状に打ち抜いた細幅板状の金属ヒーター１１と、後面耐熱ガラス板１ｅとからなり、金属ヒーター１１を面状ヒーター１の内部に配置するため表面耐熱ガラス板１ｄと後面耐熱ガラス板１ｅとで挟着して構成されたものである。
【００２７】
金属ヒーター１１は、表面耐熱ガラス板１ｄより導出した外側の端子部１１ａ、１１ｂをガラス内部に挟着された部分の断面積より大きくしている。金属ヒーター１１の挟着は、２枚の表面と後面の耐熱ガラス板１ｄ、１ｅを熱溶着させて構成しているが、２枚の耐熱ガラス板の間に絶縁性の接着剤を使用して構成しても良い。また、金属ヒーター１１はニッケル・クローム鋼板を打ち抜いて構成しているが、線材を任意の形状に成形しプレート状に圧延したものでも良い。
【００２８】
上記構成の面状ヒーター１を輻射暖房機に採用することで、安全性の高い機器を提供する。耐熱ガラス板は衝撃力に弱く、割れたときに飛散し危険であるが、本構成の面状ヒーター１は耐熱ガラス板１ｄ、１ｅの内部に設けた金属ヒーター１１が、本来の機能である発熱体としての役目以外に、実施の形態１で説明した飛散防止手段としての役目もなしているので、耐熱ガラス板の強度を高めることができる。特に衝撃力に強い金属を挟着することで、衝撃に強い耐熱ガラス板にすることができる。誤って耐熱ガラス板が割れたときは、金属ヒーターが耐熱ガラス板との接続体となり、破片の飛散を防止する。
【００２９】
以上のように細幅板状の金属ヒーターを耐熱ガラス板の内部に設けた面状ヒーターにすることで、耐熱ガラス板の強度向上と飛散防止とガラス面の加熱が同時に可能となり、面状ヒータを暖房機本体の前面の輻射熱発生手段として採用することができる。
【００３０】
また、金属ヒーターは耐熱ガラス板の外側の端子部を構成し、その断面積を耐熱ガラス板内部より大きくすることで、端子部の強度を確保できるとともに、通電時の端子部の温度を低くでき信頼性の高い機器を提供できる。
【００３１】
（実施の形態４）
図７は、本発明の実施の形態４における輻射暖房機の面状ヒーターの要部の分解斜視図である。本実施の形態の面状ヒーター１は、実施の形態３で説明した面状ヒーターと同様に、暖房機本体の前面表側より配置した表面耐熱ガラス板１ｄと、発熱体としてニッケル・クローム鋼板を任意の形状に打ち抜いた細幅板状の金属ヒーター１１と、後面耐熱ガラス板１ｅとからなり、金属ヒーター１１を面状ヒーター１の内部に配置するため表面耐熱ガラス板１ｄと後面耐熱ガラス板１ｅとで挟着して構成された点は同じで、細幅板状の金属ヒーター１２の表面耐熱ガラス板１ｄ、後面耐熱ガラス板１ｅに対する配列が異なるものである。
【００３２】
すなわち、金属ヒーター１２は、表面と後面の耐熱ガラス板１ｄ、１ｅ内に挟着され、両側端に電極部１２ａを有し、電極部１２ａ間を複数の電熱線１２ｂで接続した形状に構成し、一方、表面と後面の耐熱ガラス板１ｄ、１ｅを矩形の短辺１ｆと長辺１ｇとから構成し、その短辺１ｆ側に金属ヒーター１２の電極部１２ａを、長辺１ｇ側に平行に金属ヒーター１２の電熱線１２ｂをそれぞれ配置して挟着した構成となっている。
【００３３】
従って、耐熱ガラス板１ｄ、１ｅの全体を均一に加熱するために金属ヒーター１２を配線する時、耐熱ガラス板１ｄ、１ｅの破断強度の弱い短辺１ｆに対して、引っ張り強度の高い金属ヒーター１２の電極部１２ｂを直交させることで、耐熱ガラス板の破断強度を高め、同時に耐熱ガラス板が割れたときの飛散防止の接続体となり、安全で強い面状ヒーターを提供できる。なお、金属ヒーターは１本の連続した線で、耐熱ガラス板の長辺に複数の線が、平行に配列されたものでも良い。
【００３４】
（実施の形態５）
図８（ａ）は、本発明の実施の形態５における輻射暖房機の面状ヒーターの裏面図で、（ｂ）は側断面図ある。本実施の形態の面状ヒーター１は、実施の形態１で説明した面状ヒーター１と基本的な構成は同じで、異なるのは発熱体１ｂを印刷した耐熱ガラス板１ａの表面に透光性材料からなる熱硬化性樹脂シート１３を接着した構成にしている点である。
【００３５】
上記実施の形態によれば、耐熱ガラス板１ａの裏面の発熱体１ｂからの輻射熱を前面に透過するとともに、熱硬化性樹脂シート１３はガラスに比べて伸び率が優れているので、耐熱ガラス板１ａが割れたときの接続体となり、ガラスの飛散を防止できる。また、耐熱ガラス板１ａの裏面の発熱体１ｂを赤熱させて通電状態を示す光を暖房機本体の前面から可視できるので、消し忘れの防止が容易になり安心して使える輻射暖房機を提供することができる。
【産業上の利用可能性】
【００３６】
以上のように、本発明にかかる輻射暖房機は、発熱作用を持つ面状ヒーターの強度を高めて面状ヒーターを大型化できるので、面状ヒーターの表面温度を下げ輻射量を得ることができ、誤って割れたときの安全性も確保できるので、大型の面輻射暖房機や壁に取り付ける輻射暖房機等の用途にも適用できる。
【図面の簡単な説明】
【００３７】
【図１】本発明の実施の形態１における輻射暖房機の斜視図
【図２】本発明の実施の形態１における輻射暖房機の縦断面図
【図３】本発明の実施の形態１における輻射暖房機の電気回路図
【図４】（ａ）本発明の実施の形態１における輻射暖房機の面状ヒーターの裏面図（ｂ）側断面図
【図５】（ａ）本発明の実施の形態２における輻射暖房機の面状ヒーターの裏面図（ｂ）側断面図
【図６】本発明の実施の形態３における輻射暖房機の面状ヒーターの要部分解斜視図
【図７】本発明の実施の形態４における輻射暖房機の面状ヒーターの要部分解斜視図
【図８】（ａ）本発明の実施の形態５における輻射暖房機の面状ヒーターの裏面図（ｂ）側断面図
【図９】従来の遠赤外線を備えた電気ヒーターの斜視図
【図１０】従来の電気調理機の要部の斜視図
【符号の説明】
【００３８】
１  面状ヒーター
１ａ、１０  耐熱ガラス板
１ｂ  発熱体
１ｃ  耐熱合成樹脂シート（飛散防止手段）
１ｄ、１ｅ  表面と後面の耐熱ガラス板
１ｇ  長辺
２  天板
３  架台
４  側板
５  裏板
１１、１２  金属ヒーター（発熱体、飛散防止手段）
１３  熱硬化性樹脂シート（飛散防止手段）
【図１】
2005345035.tif 000003
【図２】
2005345035.tif 000004
【図３】
2005345035.tif 000005
【図４】
2005345035.tif 000006
【図５】
2005345035.tif 000007
【図６】
2005345035.tif 000008
【図７】
2005345035.tif 000009
【図８】
2005345035.tif 000010
【図９】
2005345035.tif 000011
【図１０】
2005345035.tif 000012